(57)【要約】【課題】温熱治療器の提供。【解決手段】放熱箱内に蓄熱体を設置し、該放熱箱を架体に吊り下げて温熱治療器となす。使用法は該蓄熱体を加熱した後に熱エネルギーを保存させ、該蓄熱体を該放熱箱内に置き、該放熱箱底部に格子状の放熱口を設け、該蓄熱体の釈放する熱量を放熱箱より外部に放出させ、温熱治療の目的を達成する。【選択図】図１
0003136125.tif 000002
【実用新案登録請求の範囲】
【請求項１】
温熱治療器において、
蓄熱体であって、加熱後に熱エネルギーを保存する特性を具えた、上記蓄熱体と、
放熱箱であって、内側に該蓄熱体が置かれ、且つ放熱口が設けられ、該蓄熱体の釈放する熱量を外部に放出して温熱治療に使用される、上記放熱箱と、
を包含したことを特徴とする、温熱治療器。
【請求項２】
請求項１記載の温熱治療器において、前記蓄熱体が人造ブロックとされたことを特徴とする、温熱治療器。
【請求項３】
請求項１記載の温熱治療器において、前記蓄熱体が天然石塊とされたことを特徴とする、温熱治療器。
【請求項４】
請求項１或いは請求項２或いは請求項３記載の温熱治療器において、前記蓄熱体の上で薬草層を燻らせることができることを特徴とする、温熱治療器。
【請求項５】
請求項１記載の温熱治療器において、前記放熱口が該放熱箱の底部に設けられ、且つ格子状構造とされたことを特徴とする、温熱治療器。
【請求項６】
請求項１記載の温熱治療器において、前記放熱箱の上端に軸受シートが設けられ、該軸受シートの中心に軸孔が設けられて、架体の一端が結合されて、該放熱箱が吊り下げ態様とされ、温熱治療に供されることを特徴とする、温熱治療器。
【請求項７】
請求項６記載の温熱治療器において、該架体はベース、伸縮外ロッド、伸縮内ロッド、位置決めロッド、調整ロッド、及び伸縮調整装置で構成され、該ベースの一側の適宜位置に該伸縮外ロッドが固定され、該伸縮内ロッドの一端は該伸縮外ロッドの別端内に挿入され、且つ該伸縮内ロッドの上端は該位置決めロッドの一端に固着され、該調整ロッドの一端が該位置決めロッドの別端に組み合わされ、該調整ロッドの末端は該軸受シートの軸孔に組み合わされて該放熱箱が吊り下げ態様とされ、該伸縮調整装置は該伸縮外ロッドと該伸縮内ロッドの間に組み付けられて該伸縮内ロッドの長さの伸縮調整の制御に供されることを特徴とする、温熱治療器。
【考案の詳細な説明】
【技術分野】
【０００１】
本考案は一種の温熱治療器に属し、特に、民間療法機能を具備した温熱治療器に関する。
【背景技術】
【０００２】
一般に見られる温熱器材は、ほとんどが接触の方式でその釈放する熱エネルギーを伝導し、使用者に温熱治療作用を提供する。例えば、電気式のホットマット或いは熱水バッグを使用者が温めたい部分に敷き、その放出する熱エネルギーにより温熱治療を行う。しかし、このような接触式温熱治療は使用者の局部を圧迫し、特にその皮膚を温める効果は、温熱治療器と使用者の身体の有効接触面積が大きく損なわれ、且つ時として治療に１０分間から半時間、さらにはそれより長い時間がかかってしまうことがある。また使用者が快適に温熱治療を受けて全身をリラックスさせる時、温熱治療器がもともと温熱治療を行うべきところからずれてしまうことがあり、使用者がこのような位置ずれを防ごうとずっと手或いは身体で温熱治療器を押さえつけていると、使用者は最もリラックスした状態で温熱治療を受けることができず、局部が圧迫されて不快に感じることさえある。
【０００３】
さらに、一般の温熱治療器は漢方薬を組み合わせて民間療法を実施するのには不適合であり、それは温度が不足し、洗浄が容易でなく、薬草を燻すのに不適合である等の問題を有しているからである。民間療法中には、温熱治療に近似のものもあって、それは一般には灸と称され、薬草を錐状体に製造し、先に使用者の身体に置いて点火、燃焼させる。このような古い民間療法は時に火傷を引き起し、使用者は治療中に体を反転させたり移動させたりできず、そうでなければ薬草が落下したり火傷を引き起こしたりする問題が起こり、ゆえに改善が求められている。
【考案の開示】
【考案が解決しようとする課題】
【０００４】
本考案の主要な目的は、一種の温熱治療器を提供することにあり、それは温熱治療器に温熱治療効果を発生させるのみならず、温熱治療器を民間療法にも使用できるようにし、これにより治療、健康維持の効果を達成することにある。
【課題を解決するための手段】
【０００５】
請求項１の考案は、温熱治療器において、
蓄熱体であって、加熱後に熱エネルギーを保存する特性を具えた、上記蓄熱体と、
放熱箱であって、内側に該蓄熱体が置かれ、且つ放熱口が設けられ、該蓄熱体の釈放する熱量を外部に放出して温熱治療に使用される、上記放熱箱と、
を包含したことを特徴とする、温熱治療器としている。
請求項２の考案は、請求項１記載の温熱治療器において、前記蓄熱体が人造ブロックとされたことを特徴とする、温熱治療器としている。
請求項３の考案は、請求項１記載の温熱治療器において、前記蓄熱体が天然石塊とされたことを特徴とする、温熱治療器としている。
請求項４の考案は、請求項１或いは請求項２或いは請求項３記載の温熱治療器において、前記蓄熱体の上で薬草層を燻らせることができることを特徴とする、温熱治療器としている。
請求項５の考案は、請求項１記載の温熱治療器において、前記放熱口が該放熱箱の底部に設けられ、且つ格子状構造とされたことを特徴とする、温熱治療器としている。
請求項６の考案は、請求項１記載の温熱治療器において、前記放熱箱の上端に軸受シートが設けられ、該軸受シートの中心に軸孔が設けられて、架体の一端が結合されて、該放熱箱が吊り下げ態様とされ、温熱治療に供されることを特徴とする、温熱治療器としている。
請求項７の考案は、請求項６記載の温熱治療器において、該架体はベース、伸縮外ロッド、伸縮内ロッド、位置決めロッド、調整ロッド、及び伸縮調整装置で構成され、該ベースの一側の適宜位置に該伸縮外ロッドが固定され、該伸縮内ロッドの一端は該伸縮外ロッドの別端内に挿入され、且つ該伸縮内ロッドの上端は該位置決めロッドの一端に固着され、該調整ロッドの一端が該位置決めロッドの別端に組み合わされ、該調整ロッドの末端は該軸受シートの軸孔に組み合わされて該放熱箱が吊り下げ態様とされ、該伸縮調整装置は該伸縮外ロッドと該伸縮内ロッドの間に組み付けられて該伸縮内ロッドの長さの伸縮調整の制御に供されることを特徴とする、温熱治療器としている。
【考案の効果】
【０００６】
本考案は非接触式の温熱治療器であり、これによりその温熱治療時に通風、通気可能で、使用者の汗を温熱治療器に付着させず、快適で衛生的である。さらに、本考案の温熱治療時に発生する熱流は空気で伝導され、使用者に対する局部性の圧迫を形成することがなく、且つ作用面積が大きく、均一に使用者の身体の全部のエリアに対して大面積の温熱治療を行うことができる。さらに、温熱治療時に薬物を組み合わせて使用すれば、一般の温熱治療とは異なる治療効果を達成できる。
【考案を実施するための最良の形態】
【０００７】
図１〜３に示されるように、本考案の温熱治療器は、蓄熱体１０、放熱箱２０、及び架体３０の構成要件で構成される。
【０００８】
そのうち、該蓄熱体１０は一般に人造ブロック或いは天然石塊とされ、それは加熱後に熱エネルギーを保存する特性を有し、またその上端を薬草層１１で更に被覆し、薬草層１１を燻すことができる。
【０００９】
該放熱箱２０は内側が中空の矩形箱体とされ、外側の適宜位置に扉２１が枢設され、該放熱箱２０の内側は該蓄熱体１０の放置に供され、且つその下面に格子状の放熱口２２が設けられて、蓄熱体１０が釈放する熱量を外に放出するのに供される。また該放熱箱２０の上端の適所に軸受シート２３が設けられ、該軸受シート２３の中心の適所に軸孔２３１が設けられて架体３０の一端と結合されて、これにより放熱箱２０が吊り下げられた態様とされて温熱治療を進行できる。
【００１０】
該架体３０は一般に伸縮調整機能を具備する架体とされ、ベース３１、伸縮外ロッド３２、伸縮内ロッド３３、位置決めロッド３４、調整ロッド３５、及び伸縮調整装置３６等の部品で構成される。そのうち、該ベース３１は平板状部品とされ、その一側の適宜位置に該伸縮外ロッド３２が固定され、該伸縮内ロッド３３の一端は該伸縮外ロッド３２の別端内に挿入され、且つ該伸縮内ロッド３３の上端は該位置決めロッド３４の一端に固着され、さらに該調整ロッド３５の一端が着脱自在なピン３７で該位置決めロッド３４の別端に組み合わされ、該調整ロッド３５の末端は該軸受シート２３の軸孔２３１に組み合わされて該放熱箱２０を吊り下げ態様とするのに用いられる。
【００１１】
さらに、該伸縮調整装置３６が該伸縮外ロッド３２と該伸縮内ロッド３３の間に組み付けられ、該伸縮内ロッド３３の長さの伸縮調整の制御に用いられる。その構成は、該伸縮外ロッド３２の上端近くに設けられたリール３６１、該伸縮内ロッド３３の外側に設けられた回転軸３６２、ロープ３６３、及び二つの弾性体３６４を包含する。それは、該ロープ３６３の一端が該リール３６１の内側に巻かれ、別端は該回転軸３６２に繞設通過させえられた後、さらに該伸縮外ロッド３２及び伸縮内ロッド３３の内側と結合され、該リール３６１はレバー３６５が回されることで該伸縮内ロッド３３を伸縮を制御できる。これらの技術は一般に周知の構造であるため、詳しい説明は省略する。また、該二つの弾性体３６４は架体３０の二側に対向設置され、各該弾性体３６４の二端は該伸縮外ロッド３２及び伸縮内ロッド３３の外側の適宜位置を係止し、その弾性引っ張り力により該伸縮内ロッド３３の下降の速度を増す。
【図面の簡単な説明】
【００１２】
【図１】本考案の蓄熱体と放熱箱の立体組合せ外観図である。
【図２】本考案の蓄熱体と放熱箱の立体分解外観図である。
【図３】本考案の使用状態表示図である。
【符号の説明】
【００１３】
１０  蓄熱体                  １１  薬草層
２０  放熱箱                  ２１  扉
２２  放熱口                  ２３  軸受シート
２３１  軸孔                  ３０  架体
３１  ベース                  ３２  伸縮外ロッド
３３  伸縮内ロッド            ３４  位置決めロッド
３５  調整ロッド              ３６  伸縮調整装置
３６１  リール                ３６２  回転軸
３６３  ロープ                ３６４  弾性体
３６５  レバー                ３７  ピン
【図１】
0003136125.tif 000003
【図２】
0003136125.tif 000004
【図３】
0003136125.tif 000005